(57)【要約】【課題】  鍵の摘みを薄板以外の立体形状にし、これを従来の鍵材、或いは鍵の摘みに装着することにより鍵の操作性を向上させる。【解決手段】  全体の形状が概ね立方体の立体形状をなすブロック体１を有し、このブロック体１中に鍵材の摘み又は現に使用されている鍵の摘み４を埋設するようにして鍵に装着する。【選択図】  図２
2005350931.tif 000002
【特許請求の範囲】
【請求項１】
全体の形状が概ね立方体の立体形状、全体の形状が回転体で、その回転軸を含む平面による断面形状が略楕円形である立体形状、断面形状が太い十字形である立体形状、断面形状が略太いＹ字形で、その縦棒部分の断面形状が円弧の一部をなす立体形状、及び、断面形状が逆三角形のブロック体の下方に厚板を一体に接続した立体形状よりなる立体形状群の内から選択された一の立体形状をなすブロック体を有し、このブロック体中に鍵材の摘み又は現に使用されている鍵の摘みを埋設するようにして鍵に装着されることを特徴とする鍵の摘み。
【請求項２】
全体の形状が長円形の厚板材で、長円形の約半分をなす一端に穴開き部を形成し、他端部に鍵材の摘み又は現に使用されている鍵の摘みを埋設するようにして鍵に装着されることを特徴とする鍵の摘み。
【請求項３】
厚肉のリング体に、一側端縁をリング体の外周縁に外接させるようにして、先細の接続部を滑らかに、かつ外側に偏らせるようにして接続した握り部と、全体の形状が略半円形の厚肉体で、円弧部をリング体に向け、かつ握り部と直交するようにして上記接続部に形成された連結溝に填め込まれるホルダーとを有し、このホルダーに鍵材の摘み又は現に使用されている鍵の摘みを埋設するようにして鍵に装着されることを特徴とする鍵の摘み。
【請求項４】
全体の形状が楕円形厚肉体の一端部を楕円形の一部で切り欠くことにより湾曲した握り部を形成すると共に、他端部を滑らかに延長して接続部を形成し、この接続部に形成された連結溝に、鍵材の摘み又は現に使用されている鍵の摘みを直接挟み込むようにして鍵に装着されることを特徴とする鍵の摘み。
【発明の詳細な説明】
【技術分野】
【０００１】
この発明は、鍵の摘みに係り、特に、操作性に優れた新規な鍵の摘みに関する。
【背景技術】
【０００２】
後記特許文献１乃至３に記載されているように、通常、錠前の鍵は、摘みと鍵溝を刻設した本体部とを備え、これら摘み及び本体部は同じ厚さで、薄い金属板からプレス加工により一体に切出され、或いは成形される。
【０００３】
なお、鍵の種類によっては、本体部の中央にその長さ方向に沿って突条を形成し、本体部が摘みより厚くなっているものもある。
【特許文献１】意匠登録第１０６４４６９号に係る意匠公報
【特許文献２】意匠登録第１０６４４７０号に係る意匠公報
【特許文献３】意匠登録第１１１１６２３号に係る意匠公報
【発明の開示】
【発明が解決しようとする課題】
【０００４】
上記特許文献１乃至３に例示した従来の鍵は、摘みが例えば２〜３ミリと薄いので、携帯性に優れているが、一面、操作性については考慮されていない、というのが実情である。
【０００５】
そこで、この発明は、従来の常識を変えて鍵の摘みを薄板以外の立体形状にし、これを従来の鍵材、或いは鍵の摘みに装着することにより鍵の操作性を向上させることを目的としている。
【課題を解決するための手段】
【０００６】
上記の目的を達成するため、請求項１に記載の発明は、全体の形状が概ね立方体の立体形状、全体の形状が回転体で、その回転軸を含む平面による断面形状が略楕円形である立体形状、断面形状が太い十字形である立体形状、断面形状が略太いＹ字形で、その縦棒部分の断面形状が円弧の一部をなす立体形状、及び、断面形状が逆三角形のブロック体の下方に厚板を一体に接続した立体形状よりなる立体形状群の内から選択された一の立体形状をなすブロック体を有し、このブロック体中に鍵材の摘み又は現に使用されている鍵の摘みを埋設するようにして鍵に装着されることを特徴とする。
【０００７】
また、請求項２に記載の発明は、全体の形状が長円形の厚板材で、長円形の約半分をなす一端に穴開き部を形成し、他端部に鍵材の摘み又は現に使用されている鍵の摘みを埋設するようにして鍵に装着されることを特徴とする。
【０００８】
更にまた、請求項３に記載の発明は、厚肉のリング体に、一側端縁をリング体の外周縁に外接させるようにして、先細の接続部を滑らかに、かつ外側に偏らせるようにして接続した握り部と、全体の形状が略半円形の厚肉体で、円弧部をリング体に向け、かつ握り部と直交するようにして上記接続部に形成された連結溝に填め込まれるホルダーとを有し、このホルダーに鍵材の摘み又は現に使用されている鍵の摘みを埋設するようにして鍵に装着されることを特徴とする。
【０００９】
また、請求項４に記載の発明は、全体の形状が楕円形厚肉体の一端部を楕円形の一部で切り欠くことにより湾曲した握り部を形成すると共に、他端部を滑らかに延長して接続部を形成し、この接続部に形成された連結溝に、鍵材の摘み又は現に使用されている鍵の摘みを直接挟み込むようにして鍵に装着されることを特徴とする。
【発明の効果】
【００１０】
上記のように構成された請求項１乃至４に記載の発明は、何れも鍵の摘みを従来のものより格段に大きくしてあるので、鍵を持ちやすくし、また施解錠操作を容易にする。換言すれば、鍵の使い勝手及び操作性を向上させ得る。
【００１１】
また、同様の理由により、請求項１乃至４に記載の発明は、鍵の摘みを摘んでひねらなくても、指を引っ掛けて動かすだけで施解錠操作が可能となる。
【００１２】
更にまた、請求項１、３及び４に記載の発明によれば、鍵全体が立体形状をなし、例えば床に落としたとき床に貼り付かないから拾いやすい。
【００１３】
また、請求項１に記載の発明によれば、ブロック体の材質をゴムにすることにより触感を向上させ得るし、指が不自由になった病人の指のリハビリにも役立つ、等種々の効果を奏する。
【発明を実施するための最良の形態】
【００１４】
摘みを立体的なブロック体、大きなリング体等、従来の鍵の摘みとは比較にならないほど大きくし、鍵に装着されたとき全体として立体的な構造を採るようにしたので、鍵の操作性を向上させることができる。
【実施例１】
【００１５】
以下、この発明の実施例を図面を参照して説明する。
図１乃至図４は請求項１に記載の発明の第１の実施例を示し、これらの図において符号１はブロック体を示す。
【００１６】
図示の実施例におけるブロック体１は、その形状が隅部を丸めたさいころ状の立方体で、材質は、エラストマー等のゴム性弾性材料、硬質スポンジ材料、或いは合成樹脂等が好適であるが、これを金属にすることもでき、この場合にはブロック体１に重厚感を付与することができる。
【００１７】
また図示の実施例では、このブロック体１の上面及び両側面に球面の一部をなす浅い凹陥部２、２が形成されており、前面及び背面には、例えば商標を表わした銘板３を嵌め込むための付番しない浅い穴が形成されている。
【００１８】
更にまた、ブロック体１の底面には、図２に示すように、鍵材の摘み又は現に使用されている鍵の摘み（以下単に鍵の摘みという）４を収納するスリット５が形成されており、この中に鍵の摘み４を挿入して埋設した後、例えば接着剤により固定する。
【００１９】
なお、図示の実施例では、全体の形状が略吊鐘形で、内側に同形の穴を繰り抜いた紐通し体６の下端部が埋設されている。この紐通し体６に紐を通し、例えば壁面のフックに掛けて鍵を保管する。
【実施例２】
【００２０】
図５乃至図８は請求項１に記載の発明の第２の実施例を示し、これらの図におけるブロック体１は、図１乃至図４に示すブロック体とは異なり、全体の形状が回転体で、その回転軸を含む平面による断面形状が略楕円形である立体形状である。
【００２１】
そして、その材質は図１乃至４に示すブロック体１と同じ材質であるものとする。
【００２２】
なお、図示の実施例では、ブロック体１の両側面及び正面と背面の中央部は肉を盗まれて平面になっている。
【００２３】
また、図５乃至図８において図１乃至図４と等符号を付した部分は相互に均等な部分を示すので、更に詳細な説明は省略する。
【００２４】
しかしながら、図５乃至図８に示す実施例においては、鍵の摘み４をブロック体のスリット５に挿入した後、図７及び図８に示すように、鍵の摘み４に最初から開いている穴を貫通する固定ピン７を挿通させて固定する。
【００２５】
この固定ピン７の頭部は、図７に示すように、銘板３によって隠すようにすると見栄えが良い。
【実施例３】
【００２６】
図９乃至図１２は請求項１に記載の発明の第３の実施例を示し、これらの図におけるブロック体１は、図１乃至図８に示すブロック体とは異なり、断面形状が太い十字形である立体形状である。
【００２７】
そして、その材質は図１乃至４に示すブロック体１と同じ材質であるものとする。
【００２８】
また、図９乃至図１２において、図１乃至図８と等符号を付した部分は相互に均等な部分を示すので、更に詳細な説明は省略する。
【００２９】
なお、図９乃至図１２に示す実施例においては、スリット５に鍵の摘み４を挿入して埋設した後、例えば接着剤により固定するものとする。
【実施例４】
【００３０】
図１３乃至図１５は請求項１に記載の発明の第４の実施例を示し、これらの図におけるブロック体１は、図１乃至図１２に示すブロック体とは異なり、断面形状が略太いＹ字形で、その縦棒部分の断面形状が円弧の一部をなす立体形状である。
【００３１】
このブロック体１の上部の略Ｙ字形の部分は、図１３及び図１５に示すように、兎の耳を、下の断面円形の部分は兎の顔を夫々示し、子供に喜ばれるデザインとなっている。
【００３２】
そして、その材質は図１乃至４に示すブロック体１と同じ材質であるものとする。
【００３３】
また、図１３乃至図１５において、図１乃至図１２と等符号を付した部分は相互に均等な部分を示すので、更に詳細な説明は省略する。
【００３４】
なお、図１３乃至図１５に示す実施例においては、鍵の摘み４をブロック体のスリット５に挿入した後、図１４に示すように、鍵の摘み４に最初から開いている穴を貫通する固定ピン７を挿通させて固定する。
【実施例５】
【００３５】
図１６乃至図１９は請求項１に記載の発明の第５の実施例を示し、これらの図におけるブロック体１は、図１乃至図１５に示すブロック体とは異なり、断面形状が逆三角形のブロック体の下方に厚板を一体に接続した立体形状である。
【００３６】
そして、その材質は図１乃至４に示すブロック体１と同じ材質であるものとする。
【００３７】
また、図１６乃至図１９において、図１乃至図１５と等符号を付した部分は相互に均等な部分を示すので、更に詳細な説明は省略する。
【００３８】
なお、図１６乃至図１９に示す実施例においては、鍵の摘み４をブロック体のスリット５に挿入した後、図１８及び図１９に示すように、鍵の摘み４に最初から開いている穴を貫通する固定ピン７を挿通させて固定する。
【００３９】
また、この請求項１に記載の発明の第５の実施例においては、合成樹脂製の紐通し体６の全体の形状がコ字形に成形されると共に、ブロック体１の上面の凹陥部２が深くなっており、この凹陥部２の底面に紐通し体６の開脚部を埋設するようにし、かつ紐通し体６の上端縁がブロック体１の上面と同じ平面になるように紐通し体６の埋設深さが設定されている。
【実施例６】
【００４０】
図２０乃至図２２は請求項２に記載の発明の一実施例を示し、この実施例における鍵の摘みは、全体の形状が長円形の厚板材で、長円形の約半分をなす一端に穴開き部を形成し、他端部に鍵材の摘みを埋設したものである。
【００４１】
この長円形をなす厚板材８の材質は、合成樹脂或いは金属板にすると重厚感が得られる。
【００４２】
なお、この実施例においては、鍵の摘み４を厚板材のスリット５に挿入した後、図２２に示すように、鍵の摘み４に最初から開いている穴を貫通する固定ピン７を挿通させて固定する。
【実施例７】
【００４３】
図２３乃至図２６は請求項３に記載の発明の一実施例を示し、この実施例は、厚肉のリング体９に、一側端縁をリング体の外周縁に外接させるようにして、先細の接続部１１を滑らかに、かつ外側に偏らせるようにして接続した握り部１２と、全体の形状が略半円形の厚肉体であるホルダー１３とを有している。
【００４４】
上記接続部１１には連結溝１４（図２５参照）が形成されており、上記ホルダー１３は、円弧部を先にし、かつ接続部１１と直交するようにして、連結溝１４に嵌め込まれるている。
【００４５】
そして、このホルダー１３に鍵の摘み４を埋設し、前記したと同様にして、固定ピン７（図２５及び図２６参照）によって鍵をホルダー１３に固定する。
【００４６】
なお、ホルダー１３と上記連結溝１４との嵌め合いの程度、換言すれば両者の間の隙間の大小によって、ホルダー１３を固定的に握り部１３に連結できるし、また、ホルダー１３を固定ピン７の回りを回動可能にも連結できる。
【００４７】
但し、後者の場合には、固定ピン７の位置をホルダー１３の円弧の中心に設定するものとする。
【実施例８】
【００４８】
図２７乃至図３０は請求項４に記載の発明の一実施例を示し、この実施例は、全体の形状が楕円形厚肉体１５の一端部を楕円形の一部で切り欠くことにより湾曲した握り部１２を形成すると共に、他端部を滑らかに延長して接続部１１を形成し、この接続部に形成された連結溝１４に、鍵の摘み４を直接、かつ、鍵の摘み４と接続部１１とが直交するようにして挟み込み、固定ピン７で固定したものである。
【００４９】
上記握り部１２の材質を金属或いは合成樹脂にすると重厚感が得られる。なお、図２９及び図３０において、符号１６は握り部に開口した紐通し孔を示す。
【図面の簡単な説明】
【００５０】
【図１】請求項１に記載の発明の第１の実施例による鍵の摘みの平面図。
【図２】請求項１に記載の発明の第１の実施例による鍵の摘みの正面図。
【図３】請求項１に記載の発明の第１の実施例による鍵の摘みの側面図。
【図４】請求項１に記載の発明の第１の実施例による鍵の摘みの背面図。
【図５】請求項１に記載の発明の第２の実施例による鍵の摘みの平面図。
【図６】請求項１に記載の発明の第２の実施例による鍵の摘みの正面図。
【図７】請求項１に記載の発明の第２の実施例による鍵の摘みの側面図。
【図８】請求項１に記載の発明の第２の実施例による鍵の摘みの背面図。
【図９】請求項１に記載の発明の第３の実施例による鍵の摘みの平面図。
【図１０】請求項１に記載の発明の第３の実施例による鍵の摘みの正面図。
【図１１】請求項１に記載の発明の第３の実施例による鍵の摘みの側面図。
【図１２】請求項１に記載の発明の第３の実施例による鍵の摘みの背面図。
【図１３】請求項１に記載の発明の第４の実施例による鍵の摘みの正面図。
【図１４】請求項１に記載の発明の第４の実施例による鍵の摘みの側面図。
【図１５】請求項１に記載の発明の第４の実施例による鍵の摘みの背面図。
【図１６】請求項１に記載の発明の第５の実施例による鍵の摘みの平面図。
【図１７】請求項１に記載の発明の第５の実施例による鍵の摘みの正面図。
【図１８】請求項１に記載の発明の第５の実施例による鍵の摘みの側面図。
【図１９】請求項１に記載の発明の第５の実施例による鍵の摘みの背面図。
【図２０】請求項２に記載の発明の一実施例による鍵の摘みの正面図。
【図２１】請求項２に記載の発明の一実施例による鍵の摘みの側面図。
【図２２】請求項２に記載の発明の一実施例による鍵の摘みの背面図。
【図２３】請求項３に記載の発明の一実施例による鍵の摘みの平面図。
【図２４】請求項３に記載の発明の一実施例による鍵の摘みの正面図。
【図２５】請求項３に記載の発明の一実施例による鍵の摘みの側面図。
【図２６】請求項３に記載の発明の一実施例による鍵の摘みの背面図。
【図２７】請求項４に記載の発明の一実施例による鍵の摘みの平面図。
【図２８】請求項４に記載の発明の一実施例による鍵の摘みの正面図。
【図２９】請求項４に記載の発明の一実施例による鍵の摘みの側面図。
【図３０】請求項４に記載の発明の一実施例による鍵の摘みの背面図。
【符号の説明】
【００５１】
１  ブロック体
２  凹陥部
３  銘板
４  鍵の摘み
５  スリット
６  紐通し体
７  固定ピン
８  厚板材
９  リング体
１１  接続部
１２  握り部
１３  ホルダー
１４  連結溝
１５  厚肉体
１６  紐通し孔
【図１】
2005350931.tif 000003
【図２】
2005350931.tif 000004
【図３】
2005350931.tif 000005
【図４】
2005350931.tif 000006
【図５】
2005350931.tif 000007
【図６】
2005350931.tif 000008
【図７】
2005350931.tif 000009
【図８】
2005350931.tif 000010
【図９】
2005350931.tif 000011
【図１０】
2005350931.tif 000012
【図１１】
2005350931.tif 000013
【図１２】
2005350931.tif 000014
【図１３】
2005350931.tif 000015
【図１４】
2005350931.tif 000016
【図１５】
2005350931.tif 000017
【図１６】
2005350931.tif 000018
【図１７】
2005350931.tif 000019
【図１８】
2005350931.tif 000020
【図１９】
2005350931.tif 000021
【図２０】
2005350931.tif 000022
【図２１】
2005350931.tif 000023
【図２２】
2005350931.tif 000024
【図２３】
2005350931.tif 000025
【図２４】
2005350931.tif 000026
【図２５】
2005350931.tif 000027
【図２６】
2005350931.tif 000028
【図２７】
2005350931.tif 000029
【図２８】
2005350931.tif 000030
【図２９】
2005350931.tif 000031
【図３０】
2005350931.tif 000032